(57)【要約】      （修正有）【課題】目皿の着脱が容易であり、経年劣化で目皿が脱落しないものであり、目皿が従来品の排水口と互換性があり、メンテナンス等に対応できる排水口構造を提供する。【解決手段】排水口１と、排水口１に脱着自在に取り付けられる目皿２ａ，２ｂと、から構成される排水口構造において、排水口１と目皿２ａ，２ｂとを係合構造によって着脱自在に取り付ける構成としたり、係合構造を、目皿２ａ，２ｂに弾性を有した係合部３を構成すると共に、排水口１に係合部３と係合する係合受け部４を構成した。【選択図】図１
2013139669.tif 000002
【特許請求の範囲】
【請求項１】
排水口１と、
排水口１に脱着自在に取り付けられる目皿２と、
から構成される排水口構造において、
排水口１と目皿２とを係合構造によって着脱自在に取り付ける構成としたことを特徴とする排水口構造。
【請求項２】
前記係合構造を、目皿２に弾性を有した係合部３を構成すると共に、排水口１に前記係合部３と係合する係合受け部４を構成したことを特徴とする請求項１に記載の排水口構造。
【請求項３】
前記係合構造を、排水口１に弾性を有した係合部３を構成すると共に、目皿２に前記係合部３と係合する係合受け部４を構成したことを特徴とする請求項１に記載の排水口構造。
【請求項４】
前記係合受け部４を複数構成し、係合受け部４より少ない数の係合部３を構成し、一つの係合部３に、少なくとも一つの係合受け部４が係合することを特徴とする前記請求項１乃至請求項３のいずれか一つに記載の排水口構造。
【請求項５】
前記係合部３の構造を、弾性を有した弾性柱部３１と爪部３２を備えた略Ｔ字の形状としたことを特徴とする前記請求項１乃至請求項４のいずれか一つに記載の排水口構造。
【請求項６】
前記係合部３の構造を、弾性を有した弾性柱部３１と爪部３２を備えるとともに、該弾性柱部３１を複数構成したことを特徴とする前記請求項１乃至請求項４のいずれか一つに記載の排水口構造。
【請求項７】
前記目皿２もしくは排水口１のいずれかに、当接面としてのヒレ部５１を有した断面視略Ｖ字形状のパッキン５を備え、目皿２と排水口１が係合している際にはパッキン５のヒレ部５１が水密的に当接し、目皿２と排水口１が係合していない際はヒレ部５１がもとの形状に復元することを特徴とする前記請求項１乃至請求項５のいずれか一つに記載の排水口構造。
【請求項８】
排水を下水へと排水させる排水器本体を構成し、当該排水器本体を取り付け部に取り付ける、リング状且つ上端を外周方向へ鍔状に凸出して構成するフランジ部材１１を前記排水口１としたことを特徴とする前記請求項１乃至請求項７のいずれか一つに記載の排水口構造。
【請求項９】
排水を下水へと排水させる排水器本体の上流側に設けられた排水が流入する開口を、前記排水口１としたことを特徴とする前記請求項１乃至請求項７のいずれか一つに記載の排水口構造。
【発明の詳細な説明】
【技術分野】
【０００１】
本発明は、浴室や洗面台、台所の流し台などに設置される排水設備機器の排水口構造に関する発明である。
【背景技術】
【０００２】
従来からよく知られる排水口構造は、洗面台や流し台の排水口の構造であって、本従来例では浴室のフロの排水口構造に用いられる。
本従来例の排水口構造は、図９又は図１０に示すように浴室の排水口構造に用いられており、浴槽と、防水パンと、排水口と、エルボ部材と、排水トラップと、目皿と、から構成される。
浴槽は、底部に排水用の開口を有した箱体である。
防水パンは、本従来例では浴槽を載置する浴槽パンと、洗い場を形成する洗い場パンとから構成する。
排水口は、浴槽パン及び洗い場パンに開口する、パン上に発生した排水を下水へと排水する為の開口である。尚、本従来例では、排水口として、後記する排水トラップ及びエルボ部材を排水口に取り付けるためのフランジ部材を備える。当該フランジ部材は、リング状であって、上端に外側方向へ飛び出して成るフランジを備え、リング部分の外周には雄ねじを構成する。また、当該フランジ部材のリング部内周面には、後記する目皿の取り付け用凸部が構成される。また、フランジ部下端からリングの中心方向に向かって突出して構成される鍔を構成する。この下端の鍔は、図示しないが排水トラップに用いられる際に、下端を封水中に配置して封水を形成する防臭パイプを取りつける為のものである。
エルボ部材は、浴槽パンの排水口に取り付けられるエルボ管体であって、後述する排水トラップの枝管に接続され、浴槽からの排水及び浴槽パン上からの排水を排水トラップ側へ排水する部材である。また、上記のフランジ部材とナットによって、浴槽パンに取り付け固定されている。
排水トラップは、洗い場パンに取り付けられる、内部に排水を一部貯水して形成する封水を備える箱体である。当該排水トラップは、排水路流入する流入口と、前記エルボ部材とホース等の管体によって接続される。尚、当該排水トラップは、下水からの臭気や害虫が室内側へ逆流しない。また、上記のフランジ部材とナットによって、洗い場パンの排水口に取り付け固定されている。
目皿は、本実施例では、図１０に示したように排水トラップの排水口及びエルボ部材に取り付けられる部材である。まず、排水トラップの排水口に取り付けられる目皿は、髪の毛や排水中のごみを捕集する部材であって、排水口に脱着自在に取り付けられる上面視円形の部材である。当該目皿は、外周にねじが構成され、排水口であるフランジ部材には当該ねじに螺合する凸部が構成されている。この目皿は、フランジ部材からねじの螺合を解除することによって着脱できるので、使用者が適宜脱着して清掃を行うことが可能な構成となっている。
また、エルボ部材の排水口に取り付けられる目皿は、図９に示したように円形であって、浴槽の排水をエルボ部材へ排水する開口と、浴槽パンからの排水をエルボ部材へと排水する開口を備え、且つ外周に軟質樹脂がインサート成形されて成る。当該軟質樹脂が排水口であるフランジ部材内周面に当接することによって脱着可能に取り付けられる。尚、当該目皿は、上部に浴槽が載置されて浴槽の排水口からの排水管が直接的に目皿の浴槽開口に当接するようにして接続される配管となる。
【０００３】
上記のような排水口構造は、以下のような排水の流れである。
浴槽内に貯水した排水を排水する場合、浴槽底部の排水用の開口から排水され、浴槽パンの排水口に取り付けられた目皿の浴槽用の開口からエルボ部材内に排水される。浴槽パン上に発生した排水は、浴槽パンの排水口に取り付けられた目皿の浴槽パン用開口からエルボ部材内へ排水される。当該エルボ部材内の浴槽からの排水及び浴槽パン上の排水は、エルボ部材を介してエルボ部材に接続された排水トラップを介して最終的に下水管へ排水される。洗い場パン上に発生した排水は、洗い場パンの排水口に取り付けられた目皿を介して排水トラップへと排水される。排水トラップ内の排水は、最終的に下水管へと排水される。
【０００４】
上記のような排水口構造は以下のようにメンテナンスされる。
洗い場パンの排水口に設置された目皿に髪の毛や排水中のゴミが捕集されると、使用者が目皿自体を回転させると、目皿外周のねじと排水口の凸部とのねじ螺合を解除できる。そうすると目皿が排水口から取り外せる為、使用者が適宜目皿を清掃することができる。
また、浴槽パンの排水口に設置された目皿に、排水中のゴミや髪の毛等のゴミが付着すると、異臭等の問題から使用者が清掃しなければならない。この際には、洗い場パン側から浴槽のエプロン部分を取り外し、浴槽パンの排水口に設置している目皿を取り外す。このとき、排水口と目皿の取付は水密パッキンによる嵌合の取付であるため、簡単に取り外すことが出来る。
【０００５】
上記のような排水口は以下のような問題があった。
目皿と排水口は使用者が適宜清掃しないとならないが、排水口と目皿がねじ螺合によって着脱自在に取り付けられていると、取り外す際には目皿に手を触れて目皿を回転させ、ねじ螺合を解除せねばならない。通常目皿の上は捕集した髪の毛や排水中のゴミが捕集されているため、使用者や清掃者にとっては出来るだけ触りたくないものであった。
また、目皿にパッキンをインサート成形し、当該パッキンによって排水口と目皿を水密的且つ着脱自在に嵌合させるものもあったが、このような取り付け方法であると、パッキンが排水中の洗剤成分等や経年劣化によって劣化し、ちょっとした衝撃で脱落したり外れたりしてしまうことが多発していた。
また、従来からの前記したねじ螺合や水密パッキンによる取付に使用される排水口としてのフランジ部材であるが、排水口の口径が同じであることが多く、当該フランジ部材にはねじ螺合の為及び水密パッキンの掛かり部用の凸部を構成し、共通使用することが多い。したがって、フランジ部材には単に凸部のみを構成していることが多い。このようなフランジ部材が流通している為、新形状のフランジ部材を導入すると、現状流通している目皿との互換性が無くなり目皿がフランジ部材や排水口に取り付けられなくなったり、修理等のメンテに対応できなくなるという問題が発生する。
【先行技術文献】
【特許文献】
【０００６】
【特許文献１】特開２００３−２６１９７１号公報
【特許文献２】特開２００４−２７８１４０号公報
【発明の概要】
【発明が解決しようとする課題】
【０００７】
本発明の排水口構造は以下の課題を解決する。
１．目皿の着脱が容易である排水口構造。
２．経年劣化で目皿が脱落しないものである排水口構造。
３．目皿が従来品の排水口と互換性があり、メンテナンス等に対応できる排水口構造。
【課題を解決するための手段】
【０００８】
請求項１に記載の本発明は、排水口１と、排水口１に脱着自在に取り付けられる目皿２と、から構成される排水口構造において、排水口１と目皿２とを係合構造によって着脱自在に取り付ける構成としたことを特徴とする排水口構造である。
【０００９】
請求項２に記載の本発明は、前記係合構造を、目皿２に弾性を有した係合部３を構成すると共に、排水口１に前記係合部３と係合する係合受け部４を構成したことを特徴とする前記段落０００８に記載の排水口構造である。
【００１０】
請求項３に記載の本発明は、前記係合構造を、排水口１に弾性を有した係合部３を構成すると共に、目皿２に前記係合部３と係合する係合受け部４を構成したことを特徴とする前記段落０００８に記載の排水口構造である。
【００１１】
請求項４に記載の本発明は、前記係合受け部４を複数構成し、係合受け部４より少ない数の係合部３を構成し、一つの係合部３に、少なくとも一つの係合受け部４が係合することを特徴とする前記段落０００８乃至段落００１０のいずれか一つに記載の排水口構造である。
【００１２】
請求項５に記載の本発明は、前記係合部３の構造を、弾性を有した弾性柱部３１と爪部３２を備えた略Ｔ字の形状としたことを特徴とする前記段落０００８乃至段落００１１のいずれか一つに記載の排水口構造である。
【００１３】
請求項６に記載の本発明は、前記係合部３の構造を、弾性を有した弾性柱部３１と爪部３２を備えるとともに、該弾性柱部３１を複数構成したことを特徴とする前記段落０００８乃至段落００１１のいずれか一つに記載の排水口構造である。
【００１４】
請求項７に記載の本発明は、前記目皿２もしくは排水口１のいずれかに、当接面としてのヒレ部５１を有した断面視略Ｖ字形状のパッキン５を備え、目皿２と排水口１が係合している際にはパッキン５のヒレ部５１が水密的に当接し、目皿２と排水口１が係合していない際はヒレ部５１がもとの形状に復元することを特徴とする前記段落０００８乃至段落００１２のいずれか一つに記載の排水口構造である。
【００１５】
請求項８に記載の本発明は、排水を下水へと排水させる排水器本体を構成し、当該排水器本体を取り付け部に取り付ける、リング状且つ上端を外周方向へ鍔状に凸出して構成するフランジ部材１１を前記排水口１としたことを特徴とする前記段落０００８乃至段落００１４のいずれか一つに記載の排水口構造である。
【００１６】
請求項９に記載の本発明は、排水を下水へと排水させる排水器本体の上流側に設けられた、排水が流入する開口を前記排水口１としたことを特徴とする前記段落０００８乃至段落００１４のいずれか一つに記載の排水口構造である。
【発明の効果】
【００１７】
請求項１に記載の本発明は、排水口１と目皿２とを係合構造によって着脱自在に取り付ける構成としたことにより、使用者が清掃の際に簡単に取り外せるという効果を奏する。
請求項２に記載の本発明は、係合構造を、目皿２に弾性を有した係合部３を構成すると共に、排水口１に前記係合部３と係合する係合受け部４を構成したことにより、より簡単に排水口１から目皿２を取り外すことができる。
請求項３に記載の本発明は、係合構造を、排水口１に弾性を有した係合部３を構成すると共に、目皿２に前記係合部３と係合する係合受け部４を構成したことにより、より簡単に排水口１から目皿２を取り外すことができる。
請求項４に記載の本発明は、係合受け部４を複数構成し、係合受け部４より少ない数の係合部３を構成し、一つの係合部３に、少なくとも一つの係合受け部４が係合する構成としたことにより、係合部３の構成をできるだけ少なく構成させることができる。また、係合構造について、より強固に係合することができるので、目皿２が排水口１から脱落してしまうようなことがない。
請求項５に記載の本発明は、係合部３の構造を、弾性を有した弾性柱部３１と爪部３２を備えた略Ｔ字の形状としたことにより、爪部３２をより側面方向へ大きく構成することが出来、係合受け部４との係合もより簡単に係合することができる。また、弾性柱部３１を構成したことによりたわみやすくなり、係合部３と係合受け部４との係合が簡単になった。
請求項６に記載の本発明は、係合部３の構造を、弾性を有した弾性柱部３１と爪部３２を備えるとともに、該弾性柱部３１を複数構成したことにより、弾性柱部３１がたわみすぎて折れたり、たわみやすくてすぐ係合が解除されてしまうようなことがない。
請求項７に記載の本発明は、目皿２もしくは排水口１のいずれかに、当接面としてのヒレ部５１を有した断面視略Ｖ字形状のパッキン５を備え、目皿２と排水口１が係合している際にはパッキン５のヒレ部５１が水密的に当接し、目皿２と排水口１が係合していない際はヒレ部５１がもとの形状に復元する構成としたことにより、目皿２と排水口１との水密化がより図れるようになった。また、パッキン５が経年によって劣化しても、パッキン５を新しいものに変更するだけで対応することができる。
請求項８に記載の本発明は、排水を下水へと排水させる排水器本体を構成し、当該排水器本体を取り付け部に取り付ける、リング状且つ上端を外周方向へ鍔状に凸出して構成するフランジ部材１１を前記排水口１としたこと、また請求項９に記載の本発明は、排水を下水へと排水させる排水器本体を構成し、当該排水器本体の排水が流入する開口を前記排水口１としたこと、の２点については、係合構造の形状に多様性をもたせることができる。
【図面の簡単な説明】
【００１８】
【図１】実施例を示す斜視図である。
【図２】実施例を示す断面図及び要部拡大断面図である。
【図３】（Ａ）目皿の係合部を示す斜視図である。（Ｂ）目皿の係合部を示す側面図である。
【図４】その他の実施例を示す断面図及び要部拡大断面図である。
【図５】その他の実施例である図４の斜視図である。
【図６】その他の実施例である図４の排水口の上面図である。
【図７】その他の実施例を示す、一部断面の斜視図である。
【図８】その他の実施例を示す図７の目皿の側面図である。
【図９】従来例を示す断面図である。
【図１０】従来例を示す斜視図である。
【発明を実施するための形態】
【００１９】
本発明の排水口構造は、洗面台や流し台の排水口１の構造であって、本実施例では浴室のフロの排水口構造に用いられる。
本実施例の排水口構造は、図１に示すように浴室の排水口構造に用いられており、浴槽と、図示しないが防水パンと、排水口１と、排水器本体としてのエルボ部材７と、排水器本体としての排水トラップ６と、目皿２と、係合構造と、パッキン５と、から構成される。
浴槽は、底部に排水用の開口を有した箱体である。
防水パンは、本実施例では図示しないが浴槽を載置する浴槽パンと、洗い場を形成する洗い場パンとから構成する。
排水口１は、浴槽パン及び洗い場パンに開口する、パン上に発生した排水を下水へと排水する為の開口である。尚、本実施例では、排水口１として、後記する排水トラップ６及びエルボ部材７を排水口１に取り付けるためのフランジ部材１１を備える。当該フランジ部材１１は、リング状であって、上端に外側方向へ飛び出して成るフランジを備え、リング部分の外周には雄ねじを構成する。また、当該フランジ部材１１のリング部内周面には、係合構造としての目皿２の取り付け用である、係合受け部４としての凸部４１が構成される。また、フランジ部材１１下端からリングの中心方向に向かって突出して構成される鍔１２を構成する。この下端の鍔１２は、排水トラップ６に用いられる際に、下端を封水中に配置して封水を形成する防臭パイプを取りつける為のものである。
エルボ部材７は、図１、図２に示すように、排水を下水へと排水させる排水器本体である。またエルボ部材７は浴槽パンの排水口１に取り付けられるエルボ管体であって、後述する排水トラップ６の枝管に接続され、浴槽からの排水及び浴槽パン上からの排水を排水トラップ６側へ排水する部材である。また、上記のフランジ部材１１とナットによって、浴槽パンに取り付け固定されている。
排水トラップ６は、図１、図２に示すように、排水を下水へと排水させる排水器本体である。該排水トラップ６は、洗い場パンに取り付けられる、内部に排水を一部貯水して形成する封水を備える箱体である。当該排水トラップ６は、排水路流入する流入口と、前記エルボ部材７とホース等の管体によって接続される。尚、当該排水トラップ６は、下水からの臭気や害虫が室内側へ逆流しない。また、上記のフランジ部材１１とナットによって、洗い場パンの排水口１に取り付け固定されている。
目皿２は、図１、図２に示すように、本実施例では、排水トラップ６の排水口１に取り付けられる目皿２ａ及びエルボ部材７の排水口１に取り付けられる目皿２ｂとを備える。
排水トラップ６の排水口１に取り付けられる目皿２ａは、髪の毛や排水中のごみを捕集する部材であって、排水口１に脱着自在に取り付けられる上面視円形の部材である。当該目皿２ａは、前記排水口１と着脱自在に取り付けられるように後記する係合構造が構成されている。この目皿２ａは、係合構造によって排水口１（フランジ部材１１）から簡単に着脱できるので、使用者が適宜脱着して清掃を行うことが可能な構成となっている。
また、エルボ部材７の排水口１に取り付けられる目皿２ｂは、いわゆるトラップカバーとよばれる部材であり、上面視円形であって、浴槽の排水をエルボ部材７へ排水する開口と、浴槽パンからの排水をエルボ部材７へと排水する開口を備え、且つ外周にパッキン５が着脱自在に取り付けられているとともに、排水口１（フランジ部材１１）から着脱自在に取りつけられる、後記する係合構造が備えられる。尚、当該目皿２ｂは、上部に浴槽が載置されて浴槽に開口された排水用の開口からの排水管が直接的又は間接的に目皿２ｂの浴槽排水用開口に接続される配管となる。
前記した目皿２ａ及び目皿２ｂにおける係合構造は、図２の要部拡大図及び図３に示すように、排水口１に目皿２を着脱自在に取り付けることができる構造であって、係合部３と、係合受け部４とから成る。本実施例では排水口１であるフランジ部材１１に係合受け部４、目皿２外周に係合部３を構成する。
係合部３は、前記目皿２ａ及び目皿２ｂ外周に構成される、図３に示すように空間部３３、弾性柱部３１、爪部３２から成る。
空間部３３は目皿２ａ又は目皿２ｂ外周に切り欠き状に開口された空間である。弾性柱部３１は、前記空間部３３から垂下して構成される、自身に弾性を有した柱状のものである。また、爪部３２は、弾性柱部３１の下端の側面方向にのびるように構成したものである。この爪部３２は後述するように、フランジ部材１１内周面に凸部４１が全周に亘って設けることができない構成であっても、各爪部３２が必ず一つ以上凸部４１に係合するように弾性柱部３１よりも幅広に構成されている。
係合受け部４は、排水口１としてのフランジ部材１１に構成される、凸部４１から成る。当該凸部４１は、フランジ部材１１の内周面に、内側方向に向かって構成されるリブ状の凸である。当該リブ状の凸部４１は前記係合部３の爪部３２と着脱自在に係合する。また、当該係合部３の爪部３２が係合受け部４の凸部４１に係合する際は、凸部４１と爪部３２が当接して、係合部３の弾性柱部３１が自身の弾性により内側方向へたわみ、爪部３２が凸部４１を乗り越えて凸部４１に係合することで係合される。また、当該係合を解除する際は、目皿２ａ又は目皿２ｂを上に引っ張り上げることで、係合部３の弾性柱部３１が再度排水口１の内側方向へたわみ、爪部３２と係合受け部４の凸部４１の係合を解除することができる。
パッキン５は、前記エルボ部材７の排水口１に取り付けられる目皿２ｂの外周に脱着可能に取り付けられるリング状の弾性部材であって、材質はゴムなどから成る。当該パッキン５は断面視Ｖ字形状であて、前記排水口１と当接するヒレ部５１を有する。当該パッキン５は、目皿２ｂを排水口１に取り付けた際に、ヒレ部５１が排水口１と当接して弾性変形することによって、排水口１を水密的にシールすることができる。また、目皿２ｂを排水口１から取り外した際には、パッキン５のヒレ部５１の弾性変形が自身の復元力によりもとの形状に復元するよう構成されて成る。
【００２０】
上記のような排水口構造は、以下のような排水の流れである。
浴槽内に貯水した排水を排水する場合、浴槽底部の排水用の開口から排水され、エルボ部材７の排水口１に取り付けられた目皿２ｂの浴槽排水用の開口からエルボ部材７内に排水される。浴槽パン上に発生した排水は、エルボ部材７の排水口１に取り付けられた目皿２ｂの浴槽パン用の排水用開口からエルボ部材７内へ排水される。当該エルボ部材７内の浴槽からの排水及び浴槽パン上の排水は、エルボ部材７を介してエルボ部材７に接続された排水トラップ６を介して最終的に下水管へ排水される。洗い場パン上に発生した排水は、排水トラップ６の排水口１に取り付けられた目皿２ａを介して排水トラップ６へと排水される。排水トラップ６内の排水は、最終的に下水管へと排水される。
【００２１】
上記のような排水口構造は以下のように取り付けられる。
排水トラップ６の排水口１上方から目皿２ａを押し込むと、目皿２ａの係合部３の爪部３２が、排水トラップ６のフランジ部材１１の係合受け部４である凸部４１に当接する。すると目皿２ａの係合部３の弾性柱部３１が排水トラップ６のフランジ部材１１の中心方向へ向かってたわみ、爪部３２が凸部４１を乗り越えることとなる。そして、凸部４１を乗り越えた爪部３２は凸部４１に係合し、目皿２ａは排水口１に取り付けられる。
また、エルボ部材７の排水口１上方から目皿２ｂを押し込むと、目皿２ｂの係合部３の爪部３２が、エルボ部材７のフランジ部材１１の係合受け部４である凸部４１に当接する。すると係合部３の弾性柱部３１がエルボ部材７の中心方向へ向かってたわみ、爪部３２が凸部４１を乗り越えることとなる。そして、凸部４１を乗り越えた爪部３２は凸部４１に係合し、目皿２ｂはエルボ部材７の排水口１に取り付けられることとなる。このとき、目皿２ｂのパッキン５のヒレ部５１が排水口１に当接するため、エルボ部材７の排水口１と目皿２ｂは水密的に当接する事となる。
【００２２】
上記のような排水口構造は以下のようにメンテナンスされる。
排水トラップ６の排水口１に設置された目皿２ａに髪の毛や排水中のゴミが捕集されると、使用者が目皿２ａ自体を上方に持ち上げると、目皿２ａ外周の係合部３である爪部３２が係合受け部４であるフランジ部材１１の凸部４１に当接し、係合部３の弾性柱部３１がフランジ部材１１の中心部分方向へ向かってたわみ、爪部３２が凸部４１を乗り越えることとなる。そうすると、排水口１の凸部４１と目皿２ａの係合部３の爪部３２の解除ができる。そうすると目皿２ａが排水トラップ６の排水口１から取り外せる為、使用者が適宜目皿２ａを清掃することができる。
また、エルボ部材７の排水口１に設置された目皿２ｂに、排水中のゴミや髪の毛等のゴミが付着すると、異臭等の問題から使用者が清掃しなければならない。この際には、洗い場パン側から浴槽のエプロン部分を取り外し、エルボ部材７の排水口１に設置している目皿２ｂを取り外す。目皿２ｂ外周の係合部３である爪部３２が係合受け部４であるフランジ部材１１の凸部４１に当接し、係合部３の弾性柱部３１がフランジ部材１１の中心部分方向へ向かってたわみ、爪部３２が凸部４１を乗り越えることとなる。そうすると、エルボ部材７の排水口１である凸部４１と、目皿２ｂの係合部３の爪部３２の解除ができる。このとき、排水口１と目皿２ｂの取付けは水密パッキン５による嵌合の取付けであるため、簡単に取り外すことが出来る。また、パッキン５のヒレ部５１の形状は、排水口１との当接が解除された際は、自身の復元力により、元の形状に復元することができる。
【００２３】
また、排水口１であるフランジ部材１１は、上述したように排水トラップ６やエルボ部材７を防水パンに取り付けるために用いられることが多いため、メンテナンスなどの際に取り替えようとしても、非常に大がかりとなり専門業者等に施工してもらわなければならず、フランジ部材１１の交換はほぼ出来ないに等しい。しかしながら上述したように目皿２についてはパッキン５の劣化の問題や、目皿２の汚染等により新しい物に交換することは多い。したがって、係合構造の変更については、目皿２の変更のみで対応できるほうが良いのは明らかである。
また、前記係合受け部４の凸部４１に関しては、フランジ部材１１に構成しているが、上記したようにフランジ部材１１は下端にリングの中心方向に向かって飛び出す鍔１２を構成している上に、内周面の係合受け部４の凸部４１を構成しているため、凸部４１下端から鍔１２にかけての空間が金型構成上アンダーカットになる。当該アンダーカット部分が構成されている為、金型構造を回転コアにしなければならない。そうすると、少なくとも凸部４１の上面視の横幅方向の寸法、およびフランジ部材１１の内周面方向の取り付け位置が回転コアの最低寸法によって必然的に決定してくる。そうすると、フランジ部材１１の凸部４１の形状及び寸法、取り付け箇所、取り付け数は絞り込まれることとなる。また、上述したようにアンダーカット部分が構成されて金型構造が回転コアを採用する為に、係合受け部４は必然的に全周に亘って凸部４１を構成することができない。
このような排水口１のフランジ部材１１が従来品や既存品の場合、目皿２の係合部３の変更のみで対応できるようにする必然性があるし、さらにはフランジ部材１１の内周の全周に亘って凸部４１を構成できずに複数箇所にばらばらに構成せねばならない係合受け部４に必ず係合する係合部３としての爪部３２を構成せねばならない。そして本発明のように、爪部３２を必ず凸部４１に係合するように幅広形状とすることで、既存や従来の排水口１のフランジ部材１１であっても、強固に係合することができるものである。
【００２４】
また、本発明の排水口構造の実施例は上記のようであるが、請求項に記載の範囲を逸脱しない範囲でおいて変更は可能である。
例えば図４乃至図６に示すように、排水口１であるフランジ部材１１に係合部３である弾性柱部３１、爪部３２を構成し、目皿２に係合受け部４である凸部４１を構成することも可能である。この場合、目皿２を排水口１であるフランジ部材１１に差し込むと、目皿２の係合受け部４の凸部４１がフランジ部材の係合爪３１に当接する。すると、フランジ部材１１の弾性柱部３１が、フランジ部材１１の外周方向に向かってたわみ、凸部４１を乗り越え、爪部３２が凸部４１に係合する。また、排水口１から目皿２を取り外す際は、目皿２を引き上げるとフランジ部材１１の弾性柱部３１が、フランジ部材１１の外周方向に向かってたわみ、凸部４１を乗り越え、爪部３２と凸部４１の係合が解除されることとなる。尚、図６に示すように、この場合は、弾性柱部３１は、外側方向にたわむ空間が備えられる。
また、前記実施例では排水口１であるフランジ部材１１に係合受け部４や係合部３を構成しているが、図７に示すように、例えば排水器本体としての排水栓部材（又は排水トラップ６やエルボ部材７）の排水が流入する流入口を排水口１とし、当該排水栓の流入口である排水口１部分に係合部３又は係合受け部４を構成することも可能である。この実施例では、洗面台のボウルに取り付けられる排水栓を排水器本体とし、当該排水栓は、ボウル取り付け用のフランジを無くしてボウル裏面からビス等で取り付けた排水口構造である。この実施例においては、目皿２の弾性柱部３１を複数構成して成る実施例である。
また、前記実施例では係合部３の構造を、弾性柱部３１を一本構成したＴ字状の爪としたが、例えば図８に示すように弾性柱部３１を複数本構成してもかまわない。
また、前記実施例では浴室の排水口構造において採用しているが、これを図７及び図８に示した洗面ボウルの排水口１及びその目皿２の係合構造であったり、図示しないが台所の流し台の排水口１及びその目隠しプレート（排水プレートとも呼ばれる）の係合構造であったりしてもかまわない。
また、前記実施例では髪の毛や排水中のゴミを捕集する目皿２等に用いられているが、当該目皿２は蓋部材であったり、トラップカバーとよばれる排水用の開口を有した蓋部材等であったり、前記したように、排水口１の目隠しプレートなどと排水口１の係合構造であってもかまわない。
【符号の説明】
【００２５】
１    排水口
１１  フランジ部材
１２  鍔
２・２ａ・２ｂ  目皿
３    係合部
３１  弾性柱部
３２  爪部
３３  空間部
４    係合受け部
４１  凸部
５    パッキン
５１  ヒレ部
６    排水トラップ
７    エルボ部材
【図１】
2013139669.tif 000003
【図２】
2013139669.tif 000004
【図３】
2013139669.tif 000005
【図４】
2013139669.tif 000006
【図５】
2013139669.tif 000007
【図６】
2013139669.tif 000008
【図７】
2013139669.tif 000009
【図８】
2013139669.tif 000010
【図９】
2013139669.tif 000011
【図１０】
2013139669.tif 000012